(57)【要約】【課題】２重管熱交換器をタンク周辺に作業性良く、且つコンパクトに取り付けることができる給湯機を提供する。【解決手段】給湯機１では、追焚熱交換器７８が２重管熱交換器であり、曲げ加工によって第１直線部７８１ａと第２直線部７８２ａとが形成されている。第１直線部７８１ａ及び第２直線部７８２ａを固定する固定部材１４０は、第１固定部１４１、第２固定部１４２及び連結部１４３を有している。第１固定部１４１は、第１直線部７８１ａを固定し、第２固定部は第１直線部７８２ａを固定する。連結部１４３は、第１固定部１４１と第２固定部１４２との間にあって、水平部材１３０に連結されている。水平部材１３０は、ケーシング３００の右側支柱部１２１と左側支柱部１２２との間に架け渡されている。【選択図】図４
2009133587.tif 000002
【特許請求の範囲】
【請求項１】
加熱手段（２）で加熱されタンク（３１）に貯えられた湯と前記タンク（３１）から供給され給湯対象容器（９２）に貯えられた湯との間で熱交換を行わせ、前記給湯対象容器（９２）に貯えられた湯を再加熱する給湯機であって、
前記タンク（３１）の湯が流通する第１流路と前記給湯対象容器（９２）の湯が流通する第２流路とを隣接させた２重管熱交換器（７８）と、
前記２重管熱交換器（７８）を支持する支持体（３００）と、
を備え、
前記２重管熱交換器（７８）には、曲げ加工によって直線部（７８１ａ，７８２ａ）と湾曲部（７８１ｂ，７８２ｂ）とが形成されており、
前記支持体（３００）は、
鉛直方向に延びる複数の支柱部材（１２１，１２２）と、
複数の前記支柱部材（１２１，１２２）間に架け渡される水平部材（１３０）と、
前記水平部材（１３０）に連結され、前記２重管熱交換器（７８）の前記直線部（７８１ａ，７８２ａ）を固定する固定部材（１４０）と、
を有している、
給湯機（１）。
【請求項２】
前記直線部（７８１ａ，７８２ａ）及び前記湾曲部（７８１ｂ，７８２ｂ）は複数あり、前記直線部（７８１ａ，７８２ａ）と前記湾曲部（７８１ｂ，７８２ｂ）とがそれぞれ鉛直方向に交互に隣接して連なっている、
請求項１に記載の給湯機（１）。
【請求項３】
複数の前記直線部（７８１ａ，７８２ａ）は、第１直線部（７８１ａ）と前記第１直線部（７８１ａ）の鉛直下方にある第２直線部（７８２ａ）とを含み、
前記固定部材（１４０）は、前記第１直線部（７８１ａ）と前記第２直線部（７８２ａ）との間に位置している、
請求項２記載の給湯機（１）。
【請求項４】
前記固定部材（１４０）は、
前記第１直線部（７８１ａ）が固定される第１固定部（１４１）と、
前記第２直線部（７８２ａ）が固定される第２固定部（１４２）と、
前記第１固定部（１４１）と前記第２固定部（１４２）との間にあって前記水平部材（１３０）に連結される連結部（１４３）と、
を有し、
前記第１固定部（１４１）、前記第２固定部（１４２）及び前記連結部（１４３）が一体成形されている、
請求項３に記載の給湯機（１）。
【請求項５】
前記固定部材（１４０）は、
前記連結部（１４３）の一端から梁状に延びて前記第１固定部（１４１）に繋がる第１繋ぎ部（１４１ａ）と、
前記連結部（１４３）の他端から梁状に延びて前記第２固定部（１４２）に繋がる第２繋ぎ部（１４２ａ）と、
をさらに有し、
前記第１固定部（１４１）、前記第２固定部（１４２）、前記連結部（１４３）、前記第１繋ぎ部（１４１ａ）及び前記第２繋ぎ部（１４２ａ）が一体成形されている、
請求項４に記載の給湯機（１）。
【請求項６】
前記支柱部材（１２１，１２２）は、前記水平部材（１３０）をネジ締めするためのネジ下穴（１２１ｂ，１２２ｂ）が形成された支持部（１２１ａ，１２２ａ）を有し、
前記水平部材（１３０）は、前記支柱部材（１２１，１２２）の前記ネジ下穴（１２１ｂ，１２２ｂ）に対向するネジ下穴（１３１ｂ，１３２ｂ）が形成されたネジ固定部（１３１ａ，１３２ａ）を有し、
前記ネジ固定部（１３１ａ，１３２ａ）は、ネジ締め方向から視て、前記支持部（１２１ａ，１２２ａ）の後方に配置されている、
請求項１に記載の給湯機（１）。
【請求項７】
前記支持部（１２１ａ，１２２ａ）には、開口（１２１ｃ，１２２ｃ）がさらに形成されており、
前記ネジ固定部（１３１ａ，１３２ａ）には、前記ネジ締め方向から視て、前記開口（１２１ｃ，１２２ｃ）の後方から前方に向って挿入され前記開口（１２１ｃ，１２２ｃ）の周辺部分に引っ掛かる爪（１３１ｃ，１３２ｃ）がさらに形成されている、
請求項６に記載の給湯機（１）。
【発明の詳細な説明】
【技術分野】
【０００１】
本発明は、加熱手段で加熱された湯水をタンクに貯える給湯機に関する。
【背景技術】
【０００２】
従来、給湯機において、２重管熱交換器の一次管に高温流体を流通させながら、２次管に浴槽内の湯水を流通させて、浴槽内の湯水を追焚する手段が採用されている（例えば、特許文献１参照）。特許文献１に記載の給湯機は、タンクに貯えられた湯水を冷凍装置の高温側冷媒によって加熱してタンクに戻すだけでなく、浴槽内の湯水を冷凍装置の高温側冷媒によって加熱して浴槽に戻している。
【０００３】
一方、上記の給湯機をさらに進歩させたものとして、２重管熱交換器の１次管にタンクに貯えられた湯水を流通させながら２次管に浴槽内の湯水を流通させて浴槽内の湯水を追焚することができる給湯機が検討されており、現在は、２重管熱交換器をより経済的に収納する手段が望まれている。
【特許文献１】特開平１０−１２２６４８号公報
【発明の開示】
【発明が解決しようとする課題】
【０００４】
本発明の課題は、２重管熱交換器をタンク周辺に作業性良く、且つコンパクトに取り付けることができる給湯機を提供することにある。
【課題を解決するための手段】
【０００５】
第１発明に係る給湯機は、加熱手段で加熱されタンクに貯えられた湯とタンクから供給され給湯対象容器に貯えられた湯との間で熱交換を行わせ、給湯対象容器に貯えられた湯を再加熱する給湯機であって、２重管熱交換器と、２重管熱交換器を支持する支持体とを備えている。２重管熱交換では、タンクの湯が流通する第１流路と給湯対象容器の湯が流通する第２流路とが隣接しており、曲げ加工によって直線部と湾曲部とが形成されている。支持体は、鉛直方向に延びる複数の支柱部材と、複数の支柱部材間に架け渡される水平部材と、水平部材に連結され２重管熱交換器の直線部を固定する固定部材とを有している。
【０００６】
この給湯機では、２重管熱交換器の直線部の寸法が湾曲部の寸法に比べて安定しているので、固定部材に固定するときの直線部と固定部材との位置合わせが容易になり、作業性がよい。
【０００７】
第２発明に係る給湯機は、第１発明に係る給湯機であって、直線部及び湾曲部が複数あり、直線部と湾曲部とがそれぞれ鉛直方向に交互に隣接して連なっている。
【０００８】
この給湯機では、２重管熱交換器の全長を長くすることができ、有効な熱交換面積をコンパクトに収納することができる。
【０００９】
第３発明に係る給湯機は、第２発明に係る給湯機であって、複数の直線部が、第１直線部と第１直線部の鉛直下方にある第２直線部とを含んでいる。そして、固定部材は、第１直線部と第２直線部との間に位置している。
【００１０】
この給湯機では、固定部材が、第１直線部と第２直線部とに挟まれた空間に位置するので、省スペースである。
【００１１】
第４発明に係る給湯機は、第３発明に係る給湯機であって、固定部材が、第１直線部が固定される第１固定部と、第２直線部が固定される第２固定部と、第１固定部と第２固定部との間にあって水平部材に連結される連結部とを有している。そして、第１固定部、第２固定部及び連結部が一体成形されている。
【００１２】
この給湯機では、第１直線部と第２直線部とが１つの固定部材で固定されるので、部品点数の低減となる。
【００１３】
第５発明に係る給湯機は、第４発明に係る発明であって、固定部材が、第１繋ぎ部と第２繋ぎ部とをさらに有している。第１繋ぎ部は、連結部の一端から梁状に延びて第１固定部に繋がる。第２繋ぎ部は、連結部の他端から梁状に延びて第２固定部に繋がる。そして、第１固定部、第２固定部、連結部、第１繋ぎ部、および第２繋ぎ部が一体成形されている。
【００１４】
この給湯機では、第１直線部と第１固定部との組み立て位置、及び第２直線部と第２固定部との組み立て位置がずれているときでも、第１繋ぎ部および第２繋ぎ部を梁のように撓ませることによって、位置合わせができるので、組み立て作業が容易になる。
【００１５】
第６発明に係る給湯機は、第１発明に係る給湯機であって、支柱部材が、水平部材をネジ締めするためのネジ下穴が形成された支持部を有している。水平部材は、支柱部材のネジ下穴に対向するネジ下穴が形成されたネジ固定部を有している。ネジ固定部は、ネジ締め方向から視て、支持部の後方に配置されている。
【００１６】
この給湯機では、水平部材とネジとで支柱部材を挟み込む状態になるので、支柱部材の下穴部分の厚みを大きくすること、或はバーリング加工することなどが不要となり、低コストである。
【００１７】
第７発明に係る給湯機は、第６発明に係る給湯機であって、支持部には、開口がさらに形成されている。ネジ固定部には、ネジ締め方向から視て、開口の後方から前方に向って挿入され開口の周辺部分に引っ掛かる爪がさらに形成されている。
【００１８】
この給湯機では、ネジ締め作業時に、水平部材は後方に押されて支柱部材から離れようとするが、爪が開口の周辺部分に引っ掛かっているので、支柱部材から離れることはない。その結果、ネジ締め作業が容易になる。
【発明の効果】
【００１９】
第１発明に係る給湯機では、２重管熱交換器の直線部の寸法が湾曲部の寸法に比べて安定しているため、固定部材に固定するときの直線部と固定部材との位置合わせが容易になり、作業性がよい。
【００２０】
第２発明に係る給湯機では、２重管熱交換器の全長を長くすることができ、有効な熱交換面積をコンパクトに収納することができる。
【００２１】
第３発明に係る給湯機では、固定部材が、第１直線部と第２直線部とに挟まれた空間に位置するので、省スペースである。
【００２２】
第４発明に係る給湯機では、第１直線部と第２直線部とが１つの固定部材で固定されるので、部品点数の低減となる。
【００２３】
第５発明に係る給湯機では、第１直線部と第１固定部との組み立て位置、及び第２直線部と第２固定部との組み立て位置がずれているときでも、第１繋ぎ部および第２繋ぎ部を梁のように撓ませることによって、位置合わせができるので、組み立て作業が容易になる。
【００２４】
第６発明に係る給湯機では、水平部材とネジとで支柱部材を挟み込む状態になるので、支柱部材の下穴部分の厚みを大きくすること、或はバーリング加工することなどが不要となり、低コストである。
【００２５】
第７発明に係る給湯機では、ネジ締め作業時に、水平部材は後方に押されて支柱部材から離れようとするが、爪が開口の周辺部分に引っ掛かっているので、支柱部材から離れることはない。その結果、ネジ締め作業が容易になる。
【発明を実施するための最良の形態】
【００２６】
以下図面を参照しながら、本発明の実施形態について説明する。なお、以下の実施形態は、本発明の具体例であって、本発明の技術的範囲を限定するものではない。
【００２７】
＜給湯機１の構成＞
図１に本発明の一実施形態に係る給湯機の外観斜視図を、図２に同給湯機の概略構成図を示す。図１おいて、給湯機１は、ヒートポンプユニット（加熱手段）２と貯湯装置３とによって構成され、ヒートポンプユニット２のケーシング２００内には、蒸気圧縮式の冷凍回路が収納され、貯湯装置３のケーシング３００内には、タンク３１が収納されている。
【００２８】
図２において、ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された蒸気圧縮式の冷凍回路２０を有する。
【００２９】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００３０】
貯湯装置３は、タンク３１、水熱交換器２２内の水管２２ｂ及び水循環ポンプ３２が、水循環配管３４によって環状に接続された水循環回路３０を有する。制御装置４は、ヒートポンプユニット２と貯湯装置３を運転制御する。
【００３１】
＜貯湯装置３＞
図３は、本発明の一実施形態に係る給湯機の貯湯装置と負荷とを連絡する配管の回路図である。なお、ここで述べる負荷とは、給湯と風呂を指す。給湯管７１は、タンク３１の頭部と給湯混合弁７３とを連絡する。給湯管７１は第１給湯分岐管７１ａ及び第２給湯分岐管７１ｂを有しており、第１給湯分岐管７１ａは、給湯管７１とお湯はり混合弁７４とを連絡し、第２給湯分岐管７１ｂは、給湯管７１と逃し弁７５を連絡している。
【００３２】
給水管７２は、水供給源と給湯混合弁７３を連絡する。給水管７２は、第１給水分岐管７２ａ及び第２給水分岐管７２ｂを有しており、第１給水分岐管７２ａは、給水管７２とお湯はり混合弁７４とを連絡し、第２給水分岐管７２ｂは、給水管７２とタンク３１の底部とを連絡している。なお、第１給水分岐管７２ａと第２給水分岐管７２ｂとの上流には減圧逆止弁７６が接続されている。また、第２給水分岐管７２ｂのタンク３１から離れた位置には、水温センサ４１が設けられており、水温センサ４１が、タンク３１から温度影響を受けないように配慮されている。
【００３３】
湯循環配管７７は、タンク３１の頭部とタンク３１の底部を連絡しており、途中には追焚熱交換器７８と循環ポンプ７９が接続されている。
【００３４】
第２給湯管８１は、給湯混合弁７３と給湯口８２とを連絡し、途中に給湯水量センサ４２ａが配置されている。第３給湯管８３は、お湯はり混合弁７４と風呂水循環配管９１とを連絡しており、途中に複合水弁８４が配置されている。複合水弁８４は、お湯はり電磁弁８４ａと、排水弁８４ｂと、お湯はり水量センサ４２ｂとで構成されている。
【００３５】
風呂水循環配管９１は、浴槽９２から出て浴槽９２に戻り、途中に風呂水循環ポンプ９３が接続されている。なお、追焚熱交換器７８において、風呂水循環配管９１と湯循環配管７７との間で熱交換が行われる。
【００３６】
タンク３１の側壁には、頭部から底部へ向かい一定間隔をおいて残湯量検知手段としての温度センサ４４ａ〜４４ｅが設けられている。タンク３１の各高さ位置の湯温を温度センサ４４ａ〜４４ｅで検知することによって湯の温度と残湯量が算出される。なお、タンク３１は、側部全周、頭部および底部を断熱材で覆われている。
【００３７】
＜追焚熱交換器７８の取付構造＞
（追焚熱交換器の形状）
図４は、貯湯装置の一領域の内部を示す正面図である。図４において、湯循環配管７７を流通する水は、タンク３１頭部から追焚熱交換器７８の一次管７７ａおよび循環ポンプ７９を経て、タンク３１の底部へ戻る。風呂水循環配管９１を流通する水は、浴槽９２から往き口３３０に入り、風呂水循環ポンプ９３、追焚熱交換器７８の２次管９１ａおよび戻り口３４０を経て浴槽９２へ戻る。
【００３８】
追焚熱交換器７８は、一次管７７ａの外側を２次管９１ａが覆う２重管熱交換器であり、曲げ加工によって第１直線部７８１ａ、第２直線部７８２ａ、第１湾曲部７８１ｂ及び第２湾曲部７８２ｂが形成されている。
【００３９】
（水平部材１３０の形状）
図５は追焚熱交換器の取付構造を示す斜視図であり、図６は図５のＡ部の拡大図であり、図７は、図５のＢ部を他の方向から視た拡大図である。図５を正面から視たとき、ケーシング３００の右側板の正面端部には、曲げ加工によって右側支柱部１２１が形成されている。また、ケーシング３００の左側板の正面端部にも、曲げ加工によって左側支柱部１２２が形成されている。右側支柱部１２１と左側支柱部１２２との間には、水平部材１３０が架け渡されている。
【００４０】
図６において、水平部材１３０の右側端部１３１は、長手方向と直角に曲げられた後に再び長手方向と平行に曲げられている。この右側端部１３１の端面近傍が、右側支柱部１２１にネジで固定される右側ネジ固定部１３１ａである。右側ネジ固定部１３１ａには、右側ネジ下穴１３１ｂと、ネジ締め方向と反対方向に突出する右側爪１３１ｃとが形成されている。図７に示すように、左側端部１３２の左側ネジ固定部１３２ａにも、左側ネジ下穴１３２ｂ、左側爪１３２ｃが形成されているが、作用は右側端部１３１の右側ネジ固定部１３１ａと同様であるので、説明を省略する。
【００４１】
右側支柱部１２１は、水平部材１３０の右側ネジ固定部１３１ａを支えるための右側支持部１２１ａを有している。右側支持部１２１ａには、右側ネジ固定部１３１ａの右側ネジ下穴１３１ｂと対向する右側支持ネジ下穴１２１ｂが形成されている。さらに、右側支持部１２１ａには、右側ネジ固定部１３１ａの右側爪１３１ｃが挿入される右側開口１２１ｃが形成されている。図７に示すように、左側支柱部１２２の左側支持部１２２ａにも、左側支持ネジ下穴１２２ｂ及び左側開口１２２ｃが形成されているが、その作用は、右側支柱部１２１の右側支持部１２１ａと同様であるので、説明を省略する。
【００４２】
右側ネジ固定部１３１ａは、ネジ締め方向から視て、右側支持部１２１ａの後方に配置され、右側爪１３１ｃは、右側開口１２１ｃの後方から前方に向って挿入されて右側開口１２１ｃの周辺部分に引っ掛かる。右側支持部１２１ａと右側ネジ固定部１３１ａとをネジ締めするときに、右側ネジ固定部１３１ａが後方へ押されて右側支持部１２１ａから離れようとするが、右側爪１３１ｃが右側開口１２１ｃの周辺部分に掛かっているので離れることはない。また、右側支持部１２１ａの右側支持ネジ下穴１２１ｂの後方に右側ネジ固定部１３１ａの右側ネジ下穴１３１ｂがあるので、右側支持ネジ下穴１２１ｂ部分を厚くする必要がない。
【００４３】
同様に、左側ネジ固定部１３２ａは、ネジ締め方向から視て、左側支持部１２２ａの後方に配置され、左側爪１３２ｃは、左側開口１２２ｃの後方から前方に向って挿入されて左側開口１２２ｃの周辺部分に引っ掛かる。左側支持部１２２ａと左側ネジ固定部１３２ａとをネジ締めするときに、左側ネジ固定部１３２ａが後方へ押されて左側支持部１２２ａから離れようとするが、左側爪１３２ｃが左側開口１２２ｃの周辺部分に掛かっているので離れることはない。また、左側支持部１２２ａの左側支持ネジ下穴１２２ｂの後方に左側ネジ固定部１３２ａの左側ネジ下穴１３２ｂがあるので、左側支持ネジ下穴１２２ｂ部分を厚くする必要がない。
【００４４】
（固定部材１４０の形状）
図５に示すように、水平部材１３０の長手部分には、固定部材１４０が連結されている。固定部材１４０は、追焚熱交換器７８の第１直線部７８１ａを固定する第１固定部１４１と、追焚熱交換器７８の第２直線部７８２ａを固定する第２固定部１４２と、水平部材１３０にネジ締めされる連結部１４３とを有している。さらに、固定部材１４０は、連結部１４３の一端から延びて第１固定部１４１に繋がる第１繋ぎ部１４１ａと、連結部１４３の他端から延びて第２固定部１４２に繋がる第２繋ぎ部１４２ａとを有している。
【００４５】
第１固定部１４１、第２固定部１４２、連結部１４３、第１繋ぎ部１４１ａ及び第２繋ぎ部１４２ａは、金属板を曲げ加工することによって一体成形されている。連結板１４３を水平部材１３０に連結したとき、第１固定部１４１は連結部１４３から第１繋ぎ部１４１ａを隔ててタンク３１側に向って離れており、第２固定部１４２は連結部１４３から第２繋ぎ部１４２ａを隔ててタンク３１側に向って離れている。それゆえ、第１繋ぎ部１４１ａ及び第２繋ぎ部１４２ａは、梁のように撓むことができる。
【００４６】
（追焚熱交換器７８の固定）
また、固定部材１４０の連結部１４３は、追焚熱交換器７８の第１直線部７８１ａと第２直線部７８２ａとに挟まれた空間に位置している。第１直線部７８１ａは、第１取付部品１５１によって第１固定部１４１に取り付けられ、第２直線部７８２ａは、第２取付部品１５２によって第２固定部１４２に取り付けられる。
【００４７】
組み立て時に、第１直線部７８１ａ及ぶ第２直線部７８２ａが上下に位置ずれすることはあるが、第１繋ぎ部１４１ａ及び第２繋ぎ部１４２ａを撓ませて、第１固定部１４１及び第２固定部１４２を上下に移動させることによって、第１直線部７８１ａ及び第２直線部７８２ａの取付位置を微調節することができる。
【００４８】
＜特徴＞
（１）
給湯機１では、追焚熱交換器７８が２重管熱交換器であり、曲げ加工によって第１直線部７８１ａと第２直線部７８２ａとが形成されている。第１直線部７８１ａ及び第２直線部７８２ａを固定する固定部材１４０は、第１固定部１４１、第２固定部１４２及び連結部１４３を有している。第１固定部１４１は、第１直線部７８１ａを固定し、第２固定部１４２は第２直線部７８２ａを固定する。連結部１４３は、第１固定部１４１と第２固定部１４２との間にあって、水平部材１３０に連結されている。水平部材１３０は、ケーシングの右側支柱部１２１と左側支柱部１２２との間に架け渡されている。水平部材１３０は、第１直線部７８１ａと第２直線部７８２ａとで挟まれた空間に沿っている。追焚熱交換器７８の第１直線部７８１ａ及び第２直線部７８２ａの寸法は湾曲部の寸法に比べて安定しているので、固定部材１４０に固定するときに、第１固定部１４１と第１直線部７８１ａとの位置合わせ、及び第２固定部１４２と第２直線部７８２ａとの位置合わせが容易となり、作業性がよい。また、固定部材１４０が、第１直線部７８１ａと第２直線部７８２ａとに挟まれた空間に位置するので、省スペースである。
【００４９】
（２）
給湯機１では、第１直線部７８１ａ、第１湾曲部７８１ｂ、第２直線部７８２ａ及び第２湾曲部７８２ｂそれぞれが鉛直方向に交互に隣接して連なっているので、２重管の全長を長くすることができ、有効な熱交換面積をコンパクトに収納することができる。
【００５０】
（３）
給湯機１では、第１繋ぎ部１４１ａが、連結部１４３の一端から梁状に延びて第１固定部１４１に繋がり、第２繋ぎ部１４２ａが、連結部１４３の他端から梁状に延びて第２固定部１４２に繋がっているので、第１直線部７８１ａと第１固定部１４１との組み立て位置、及び第２直線部７８２ａと第２固定部１４２との組み立て位置がずれているときでも、第１繋ぎ部１４１ａおよび第２繋ぎ部１４２ａを梁のように撓ませることによって、位置合わせができるので、組み立て作業が容易になる。
【００５１】
（４）
給湯機１では、右側ネジ固定部１３１ａは、ネジ締め方向から視て、右側支持部１２１ａの後方に配置される。同様に、左側ネジ固定部１３２ａは、ネジ締め方向から視て、左側支持部１２２ａの後方に配置される。その結果、右側支持部１２１ａの右側支持ネジ下穴１２１ｂ部分及び左側支持部１２２ａの左側支持ネジ下穴１２２ｂ部分の厚みを大きくすること、或はバーリング加工することなどが不要となり、低コストである。
【００５２】
（５）
給湯機１では、ネジ締め作業時に、右側ネジ固定部１３１ａは後方に押されて右側支持部１２１ａから離れようとするが、右側爪１３１ｃが右側開口１２１ｃの周辺部分に引っ掛かっているので、右側支持部１２１ａから離れることはない。同様に、ネジ締め作業時に、左側ネジ固定部１３２ａは後方に押されて左側支持部１２２ａから離れようとするが、左側爪１３２ｃが左側開口１２２ｃの周辺部分に引っ掛かっているので、右側支持部１２１ａから離れることはない。その結果、ネジ締め作業が容易になる。
【産業上の利用可能性】
【００５３】
以上のように、本発明によれば、２重管熱交換器を収納場所へ作業性良く、コンパクトに取り付けることができるので、２重管を使用した流体循環回路を収納する装置に有用である。
【図面の簡単な説明】
【００５４】
【図１】本発明の一実施形態に係る給湯機の外観斜視図。
【図２】同給湯機の概略構成図。
【図３】同給湯機の貯湯装置と負荷とを連絡する配管の回路図。
【図４】貯湯装置の一領域の内部を示す正面図。
【図５】追焚熱交換器の取付構造を示す斜視図。
【図６】図５のＡ部拡大図。
【図７】図５のＢ部を他の方向から視た拡大図。
【符号の説明】
【００５５】
１  給湯機
２  ヒートポンプユニット（加熱手段）
３１  タンク
７８  追焚熱交換器（２重管熱交換器）
９２  風呂（給湯対象容器）
１２１  右側支柱部（支柱部材）
１２１ａ  右側支持部
１２１ｂ  右側支持ネジ下穴
１２１ｃ  右側開口
１２２  左側支柱部（支柱部材）
１２２ａ  左側支持部
１２２ｂ  左側支持ネジ下穴
１２２ｃ  左側開口
１３０  水平部材
１３１ａ  右側ネジ固定部
１３１ｂ  右側ネジ下穴
１３１ｃ  右側爪
１３２ａ  左側ネジ固定部
１３２ｂ  左側ネジ下穴
１３２ｃ  左側爪
１４０  固定部材
１４１  第１固定部
１４１ａ  第１繋ぎ部
１４２  第２固定部
１４２ａ  第２繋ぎ部
１４３  連結部
３００  ケーシング
７８１ａ  第１直線部
７８１ｂ  第１湾曲部
７８２ａ  第２直線部
７８２ｂ  第２湾曲部
【図１】
2009133587.tif 000003
【図２】
2009133587.tif 000004
【図３】
2009133587.tif 000005
【図４】
2009133587.tif 000006
【図５】
2009133587.tif 000007
【図６】
2009133587.tif 000008
【図７】
2009133587.tif 000009